(57)【特許請求の範囲】
【請求項１】
ヘッドボックス内に回転可能に支持された第一の吊下げドラムから第一のラダーコードを介して上部スラット群を支持し、前記ヘッドボックス内に回転可能に支持された第二の吊下げドラムから第二のラダーコードを介して下部スラット群を支持し、角度調節軸の回転操作により回転する前記第一及び第二の吊下げドラムで前記第一及び第二のラダーコードの縦糸のいずれか一方を引き上げて、前記上部スラット群と下部スラット群を異なる角度で角度調節可能とした横型ブラインドにおいて、
前記第一の吊下げドラムの径を第二の吊下げドラムの径より小さくし、前記第一の吊下げドラムを前記角度調節軸で回転駆動可能とし、前記第二の吊下げドラムは前記第一の吊下げドラムに係合して回転可能とするとともに、前記第一の吊下げドラムと第二の吊下げドラムとの間には、前記上部スラット群が全閉状態あるいは逆全閉状態となるとき、前記下部スラット群を全閉状態あるいは逆全閉状態とする空転機構を設けたことを特徴とする横型ブラインドのスラット角度調節装置。
【請求項２】
前記空転機構は、
前記第二の吊下げドラムの中心部に形成された支持孔と、
前記支持孔内で回転する前記第一の吊下げドラムの軸部と、
前記軸部の外周面に形成された第一の突部と、
前記支持孔の内周面に形成されて、前記第一の吊下げドラムの回転に基づいて前記第一の突部と係合する第二の突部と、
前記第一の突部と第二の突部との間に形成された空転領域と
を備えたことを特徴とする請求項１記載の横型ブラインドのスラット角度調節装置。
【請求項３】
前記第一の吊下げドラムの径と第二の吊下げドラムの径の比を１：２とし、前記上部スラット群を全閉状態から逆全閉状態まで回動させるときの前記第一の吊下げドラムの回転角と、前記下部スラット群を全閉状態から逆全閉状態まで回動させるときの前記第二の吊下げドラムの回転角の比を２：１としたことを特徴とする請求項２記載の横型ブラインドのスラット角度調節装置。
【請求項４】
前記空転機構は、
上部スラット群及び下部スラット群を水平方向に支持した状態から、前記第一の吊下げドラムを正方向あるいは逆方向に１３０度回転させたとき、前記上部スラット群及び下部スラット群を全閉状態あるいは逆全閉状態まで回動可能とし、前記上部スラット群を水平方向に支持した状態から、前記第一の吊下げドラムが正方向あるいは逆方向に６５度回転する範囲を前記空転領域としたことを特徴とする請求項３記載の横型ブラインドのスラット角度調節装置。
【請求項５】
前記第一の吊下げドラムに前記角度調節軸を相対回転不能に挿通し、前記角度調節軸をチルトポールで回転操作可能としたことを特徴とする請求項１乃至４のいずれか１項に記載の横型ブラインドのスラット角度調節装置。
【発明の詳細な説明】
【技術分野】
【０００１】
この発明は、上部スラット群と下部スラット群とを異なる角度で角度調節可能とした横型ブラインドに関するものである。
【背景技術】
【０００２】
横型ブラインドの一種類として、上部スラット群と下部スラット群とをヘッドボックスからそれぞれ異なるラダーコードで吊下支持し、操作装置の操作により各ラダーコードを介して上部スラット群と下部スラット群とをそれぞれ異なる角度で角度調節可能としたものがある。
【０００３】
このような横型ブラインドでは、上部スラット群及び下部スラット群をともに水平方向として窓の全面から外光を採光可能とする状態、あるいは上部スラット群を水平方向とし下部スラット群を全閉状態として、窓の上部から外光を採り入れる状態等を選択可能である。
【０００４】
特許文献１には、上半側スラットと下半側スラットを異なる角度に角度調節可能とした横型ブラインドが開示されている。この横型ブラインドでは、スラット駆動シャフトに第１及び第２の旋回ドラムを取着し、その第１及び第２の旋回ドラムから吊下支持した先動コード及びラダーコードに上半側スラットと下半側スラットを支持し、第２の旋回ドラムは第１の旋回ドラムが所定角度回転した後に回動を開始するようにしている。
【０００５】
このような構成により、上半側スラット及び下半側スラットを水平方向とした状態からスラット駆動シャフトを回転させると、まず下半側スラットが回動され、次いで上半側スラットが回動される。従って、下半側スラットを全閉状態とし、上半側スラットを水平方向として窓の上部からのみ採光することができる。
【特許文献１】特公昭６３−５５５９５公報
【発明の開示】
【発明が解決しようとする課題】
【０００６】
特許文献１に記載された横型ブラインドでは、下半側スラットを全閉状態間で回動した状態から、さらにスラット駆動シャフトを同方向に回転して上半側スラットを全閉状態まで回動させるとき、第１及び第２の旋回ドラムがともに回転されるため、下半側スラットが先動コードを介して持ち上げられる状態となる。
【０００７】
従って、上半側スラットを全閉状態及び逆全閉状態まで回動するための操作力が増大するとともに、全閉状態あるいは逆全閉状態まで確実に回動させることができないという問題点がある。
【０００８】
この発明の目的は、上部スラット群と下部スラット群とを異なる角度で角度調節可能とするとともに、上部スラット群及び下部スラット群をともに全閉状態及び逆全閉状態とするまで容易に回動操作可能とした横型ブラインドのスラット角度調節装置を提供することにある。
【課題を解決するための手段】
【０００９】
請求項１では、ヘッドボックス内に回転可能に支持された第一の吊下げドラムから第一のラダーコードを介して上部スラット群を支持し、前記ヘッドボックス内に回転可能に支持された第二の吊下げドラムから第二のラダーコードを介して下部スラット群を支持し、角度調節軸の回転操作により回転する前記第一及び第二の吊下げドラムで前記第一及び第二のラダーコードの縦糸のいずれか一方を引き上げて、前記上部スラット群と下部スラット群を異なる角度で角度調節可能とした横型ブラインドにおいて、前記第一の吊下げドラムの径を第二の吊下げドラムの径より小さくし、前記第一の吊下げドラムを前記角度調節軸で回転駆動可能とし、前記第二の吊下げドラムは前記第一の吊下げドラムに係合して回転可能とするとともに、前記第一の吊下げドラムと第二の吊下げドラムとの間には、前記上部スラット群が全閉状態あるいは逆全閉状態となるとき、前記下部スラット群を全閉状態あるいは逆全閉状態とする空転機構を設けた。
【００１０】
請求項２では、前記空転機構は、前記第二の吊下げドラムの中心部に形成された支持孔と、前記支持孔内で回転する前記第一の吊下げドラムの軸部と、前記軸部の外周面に形成された第一の突部と、前記支持孔の内周面に形成されて、前記第一の吊下げドラムの回転に基づいて前記第一の突部と係合する第二の突部と、前記第一の突部と第二の突部との間に形成された空転領域とを備えた。
【００１１】
請求項３では、前記第一の吊下げドラムの径と第二の吊下げドラムの径の比を１：２とし、前記上部スラット群を全閉状態から逆全閉状態まで回動させるときの前記第一の吊下げドラムの回転角と、前記下部スラット群を全閉状態から逆全閉状態まで回動させるときの前記第二の吊下げドラムの回転角の比を２：１とした。
【００１２】
請求項４では、前記空転機構は、上部スラット群及び下部スラット群を水平方向に支持した状態から、前記第一の吊下げドラムを正方向あるいは逆方向に１３０度回転させたとき、前記上部スラット群及び下部スラット群を全閉状態あるいは逆全閉状態まで回動可能とし、前記上部スラット群を水平方向に支持した状態から、前記第一の吊下げドラムが正方向あるいは逆方向に６５度回転する範囲を前記空転領域とした。
【００１３】
請求項５では、前記第一の吊下げドラムに前記角度調節軸を相対回転不能に挿通し、前記角度調節軸をチルトポールで回転操作可能とした。
【発明の効果】
【００１４】
本発明によれば、上部スラット群と下部スラット群とを異なる角度で角度調節可能とするとともに、上部スラット群及び下部スラット群をともに全閉状態及び逆全閉状態とするまで容易に回動操作可能とした横型ブラインドのスラット角度調節装置を提供することができる。
【発明を実施するための最良の形態】
【００１５】
以下、この発明を具体化した一実施の形態を図面に従って説明する。図１及び図２に示す横型ブラインドは、ヘッドボックス１内の少なくとも左右両端部に支持部材２が取着され、その支持部材２に小径の第一の吊下げドラム３と、大径の第二の吊下げドラム４が回転可能に支持されている。
【００１６】
前記第一の吊下げドラム３には、上部スラット群５を支持する第一のラダーコード６の上端が取着され、その第一のラダーコード６の下端部には中間レール７が支持されている。
【００１７】
前記第二の吊下げドラム４には、下部スラット群８を支持する第二のラダーコード９の上端が取着され、その第二のラダーコード９の下端部にボトムレール１０が支持されている。
【００１８】
そして、第一及び第二の吊下げドラム３，４が回転されると、第一及び第二のラダーコード６，９を介して上部スラット群５及び下部スラット群８が回動されるようになっている。
【００１９】
前記第一の吊下げドラム３には六角棒状の角度調節軸１１が相対回転不能に挿通され、その角度調節軸１１の一端は、前記ヘッドボックス１の一端に配設されるギヤボックス１２の出力軸に嵌合されている。
【００２０】
前記ギヤボックス１２の入力軸１３は、前記ヘッドボックス１の一端から斜め下方に突出され、その入力軸１３からチルトポール１４が吊下支持されている。そして、チルトポール１４を回転させると、ギヤボックス１２を介して前記角度調節軸１１が回転される。
【００２１】
なお、前記チルトポール１４の下端に設けられる操作つまみ１５には、昇降コードの端部が取着され、操作つまみ１５を下方へ引いてヘッドボックス１から昇降コードを引き出すことにより、前記ボトムレール１０を昇降させて、下部スラット群８及び上部スラット群５を昇降可能となっている。
【００２２】
次に、前記第一及び第二の吊下げドラム３，４の具体的構成を図３〜図５に従って説明する。第一の吊下げドラム３は、その中心部に円筒状の軸部１５が形成され、その軸部１５の中心部に六角孔１６が形成され、その六角孔１６に前記角度調節軸１１が相対回転不能に挿通される。
【００２３】
前記軸部１５の長手方向中間部の外周面には、軸部１５の径を中心に対し１８０度より僅かに狭い範囲で拡大して形成される第一の突部１７が形成されている。前記第一の突部１７の周囲にはフランジ部１８が形成され、そのフランジ部１８の一側には前記第一のラダーコード６を吊下支持するドラム部１９が形成されている。
【００２４】
前記ドラム部１９には前記第一のラダーコード６の縦糸の上端を掛止する係止部２０が形成されている。この係止部２０は、第一のラダーコード６の一対の縦糸の上端部に取着した結び目等を係止可能とした溝状に形成され、前記軸部１５を中心として前記第一の突部１７の反対側に位置している。
【００２５】
前記第二の吊下げドラム４には、その中心部に前記軸部１５及び第一の突部１７を回動可能に支持する支持孔２１が形成され、その支持孔２１の内周面には第二の突部２２が形成されている。そして、図５に示すように、軸部１５及び第一の突部１７は支持孔２１の内周面と第二の突部２２とで回転可能に支持されている。
【００２６】
前記第二の突部２２は、軸部１５の中心に対し約５０度の範囲で形成され、前記第一の突部１７の回動軌跡上に位置する。従って、第一の突部１７と第二の突部２２との間の空間が第一の吊下げドラム３が第二の吊下げドラム４に対し空転する空転領域となる。そして、図５に示すように、軸部１５の中心に対し第一の突部１７が下方に位置し、第二の突部２２が上方に位置する場合には、第一の吊下げドラム３が正逆方向に６５度の範囲で第二の吊下げドラム４に対し空転する。
【００２７】
また、第一の吊下げドラム３が正逆方向に６５度以上回転すると、第一の突部１７が第二の突部２２に当接して、第一の吊下げドラム３と第二の吊下げドラム４が一体に回転される。
【００２８】
前記第二の吊下げドラム４のドラム部２３には、前記第二のラダーコード９の縦糸の上端部を掛止する係止部２４が設けられている。この係止部２４は、前記第一の吊下げドラム３の係止部２０と同様な構成であり、図４に示すように、その係止部２４が軸部１５の上方に位置するとき、図５に示すように、前記第二の突部２２も軸部１５の上方に位置するように形成されている。
【００２９】
前記第一の吊下げドラム３のドラム部１９の径は、第二の吊下げドラム４のドラム部２３の径の半分となっている。そして、図４に示すように、第一の吊下げドラム３の係止部２０が上方に位置するとき、上部スラット群５は第一のラダーコード６を介して水平方向に保持され、この状態から第一の吊下げドラム３が正逆方向に１３０度回転されると、上部スラット群５が全閉状態あるいは逆全閉状態まで回動されるようになっている。
【００３０】
また、第二の吊下げドラム４の係止部２４が上方に位置するとき、下部スラット群８は第二のラダーコード９を介して水平方向に保持され、この状態から第二の吊下げドラム４が正逆方向に６５度回転されると、下部スラット群８が全閉状態あるいは逆全閉状態まで回動されるようになっている。
【００３１】
次に、上記のように構成された横型ブラインドの動作を説明する。
図６に示すように、上部スラット群５及び下部スラット群８が水平方向に保持されている状態では、第一の吊下げドラム３及び第二の吊下げドラム４の係止部２０，２４は軸部１５の中心の上方に位置し、第一の突部１７及び第二の突部２２は図５に示す状態である。
【００３２】
この状態から、角度調節軸１１を矢印Ａ方向に回転させて、第一の吊下げドラム３を回転させると、最初の６５度の範囲では第一の吊下げドラム３が第二の吊下げドラム４に対し空転し、第一の吊下げドラム３のみが回転して、上部スラット群５のみが回動される。
【００３３】
次いで、角度調節軸１１をさらに同方向に回転させると、係止部２０，２４が係合して第一及び第二の吊下げドラム３，４が一体に回転される。そして、係止部２０，２４が係合してから角度調節軸１１がさらに６５度回転すると、図７に示すように、上部スラット群５及び下部スラット群８が全閉状態まで回動される。
【００３４】
図７に示す状態から、角度調節軸１１を逆方向すなわち矢印Ｂ方向に回転させると、まず第一の吊下げドラム３のみが回転されて、上部スラット群５が回動される。そして、図８に示すように、第一の吊下げドラム３が１３０度回転されて上部スラット群５が水平方向まで回動されると第一の吊下げドラム３及び第二の吊下げドラム４が一体に回動し始め、さらに６５度回転されると、図９に示すように、下部スラット群８が水平方向に回動される。
【００３５】
この状態から、角度調節軸１１を矢印Ａ方向に６５度回転させると、第一の吊下げドラム３のみが回転されて、上部スラット群５が水平方向に復帰して、図６に示す状態となる。
【００３６】
また、図６に示す状態から角度調節軸１１を矢印Ｂ方向に回転させると、まず第一の吊下げドラム３が６５度回転されて上部スラット群５が回動され、次いで第一の吊下げドラム３及び第二の吊下げドラム４がさらに一体に６５度回転されて、図１０に示すように、上部スラット群５及び下部スラット群８が逆全閉状態まで回動される。
【００３７】
上記のように構成された横型ブラインドでは、次に示す作用効果を得ることができる。
（１）チルトポール１４の回転操作により、上部スラット群５と下部スラット群８とを異なる角度で角度調節することができる。
（２）上部スラット群５を水平方向とし、下部スラット群８を全閉状態あるいは逆全閉状態とすることができる。
（３）上部スラット群５及び下部スラット群８をともに全閉状態及び逆全閉状態となるまで回動することができる。
（４）上部スラット群５を全閉状態あるいは逆全閉状態までの回動操作時に、下部スラット群８が持ち上げられることはない。従って、上部スラット群５の角度調節操作に要する操作力を軽減し、上部スラット群５を全閉状態及び逆全閉状態まで確実に回動することができる。
（５）第一の吊下げドラム３と第二の吊下げドラム４の径を１：２とするとともに、第一の吊下げドラム３の径は、上部スラット群５を水平方向とした状態から第一の吊下げドラム３正逆方向に１３０度回動させたとき、上部スラット群５を全閉状態あるいは逆全閉状態まで回動可能とした。また、第二の吊下げドラム４の径は下部スラット群８を水平方向とした状態から第二の吊下げドラム４を６５度回動させたとき、下部スラット群８を全閉状態あるいは逆全閉状態まで回動可能とした。そして、角度調節軸１１で回転される第一の吊下げドラム３と、第一の吊下げドラム３で回転される第二の吊下げドラム４との間に、６５度の空転機構を設けたので、上部スラット群５及び下部スラット群を異なる角度に角度調節することができるとともに、全閉状態及び逆全閉状態まで回動することができる。
（６）チルトポール１４の回転操作により、上部スラット群５及び下部スラット群８を水平方向から全閉状態あるいは逆全閉状態まで容易に角度調節することができる。
【００３８】
上記実施の形態は、以下の態様で実施してもよい。
・上部スラット群５及び下部スラット群８を全閉状態あるいは逆全閉状態まで回動させるための第一の吊下げドラム３及び第二の吊下げドラム４の回転角は、スラット幅と第一の吊下げドラム３及び第二の吊下げドラム４の径との関係により任意に設定することができる。
・第一の吊下げドラムと第二の吊下げドラムの径の比は、１：２以外の任意の比としてもよい。
【図面の簡単な説明】
【００３９】
【図１】横型ブラインドを示す正面図である。
【図２】ヘッドボックス内の第一及び第二の吊下げドラムを示す平面図である。
【図３】第一及び第二の吊下げドラムを示す分解斜視図である。
【図４】第一及び第二の吊下げドラムを示す側面図である。
【図５】第一及び第二の吊下げドラムを示す断面図である。
【図６】スラットの角度調節動作を示す側面図である。
【図７】スラットの角度調節動作を示す側面図である。
【図８】スラットの角度調節動作を示す側面図である。
【図９】スラットの角度調節動作を示す側面図である。
【図１０】スラットの角度調節動作を示す側面図である。
【符号の説明】
【００４０】
１…ヘッドボックス、３…第一の吊下げドラム、４…第二の吊下げドラム、５…上部スラット群、６…第一のラダーコード、８…下部スラット群、９…第二のラダーコード、８…スラット駆動軸（角度調節軸）、１３ａ，１３ｂ…振れ止め、１５，１７，２１，２２…空転機構（軸部、第一の突部、支持孔、第二の突部）。
【図１】
0005030831.tif 000002
【図２】
0005030831.tif 000003
【図３】
0005030831.tif 000004
【図４】
0005030831.tif 000005
【図５】
0005030831.tif 000006
【図６】
0005030831.tif 000007
【図７】
0005030831.tif 000008
【図８】
0005030831.tif 000009
【図９】
0005030831.tif 000010
【図１０】
0005030831.tif 000011